(57)【要約】【課題】  チェーンスパンの弦振動を抑制するための構造を簡略化して、組立作業を簡略化する。【解決手段】  各々一対の歯部２１およびピン穴２２を有する多数の内側リンク２をピン穴２２内に挿入した連結ピン３で連結してなるサイレントチェーン１において、チェーン長手方向に隣り合う少なくとも３本の連結ピン３にワイヤ５を掛けわたすとともに、チェーン屈曲時にワイヤ５の弾性変形による屈曲抵抗が作用するように、ワイヤ５を連結ピン３に係止する。【選択図】  図２
2005076851.tif 000002
【特許請求の範囲】
【請求項１】
各々一対のピン穴を有する多数のリンクをピン穴内に挿入した連結ピンで連結してなる動力伝達用チェーンにおいて、
チェーン長手方向に隣り合う少なくとも３本の連結ピンにワイヤが掛けわたされるとともに、チェーン屈曲時にワイヤの弾性変形による屈曲抵抗が作用するように、ワイヤが連結ピンに係止されている、
ことを特徴とする動力伝達用チェーン。
【請求項２】
請求項１において、
ワイヤが各連結ピンの位置で上下方向に屈曲しつつチェーン長手方向にジグザグに配設されるとともに、ワイヤの少なくとも一端がこれに対応する連結ピンの回りに巻回されている、
ことを特徴とする動力伝達用チェーン。
【請求項３】
請求項２において、
ワイヤの両端がこれらに対応する各連結ピンの回りに巻回されている、
ことを特徴とする動力伝達用チェーン。
【請求項４】
請求項１において、
ワイヤが各連結ピンの位置で上下方向に屈曲しつつチェーン長手方向にジグザグに配設されるとともに、ワイヤの一部が中間の連結ピンの回りに巻回されている、
ことを特徴とする動力伝達用チェーン。
【請求項５】
請求項４において、
ワイヤの一部が、ワイヤの一端に対応する連結ピンと隣り合う連結ピンの回りに巻回されている、
ことを特徴とする動力伝達用チェーン。
【請求項６】
請求項１ないし５のいずれかにおいて、
連結ピンに巻回されるワイヤの部位が連結ピンに固定されていない、
ことを特徴とする動力伝達用チェーン。
【請求項７】
請求項１ないし６のいずれかにおいて、
ワイヤが、チェーン幅方向に隣り合うリンクの間に配設されている、
ことを特徴とする動力伝達用チェーン。
【請求項８】
請求項１ないし７のいずれかにおいて、
ワイヤがばね鋼製である、
ことを特徴とする動力伝達用チェーン。
【請求項９】
請求項８において、
ワイヤがピアノ線である、
ことを特徴とする動力伝達用チェーン。
【請求項１０】
請求項１ないし９のいずれかにおいて、
各リンクがスプロケットと噛み合う一対の歯部をそれぞれ有している、
ことを特徴とする動力伝達用チェーン。
【発明の詳細な説明】
【技術分野】
【０００１】
本発明は、動力伝達用チェーンに関し、詳細には、弦振動を抑制するための構造の改良に関する。
【背景技術】
【０００２】
自動車や自動二輪車用の動力伝達用チェーンは、一般に、多数のリンクをそのピン穴に挿入した連結ピンにより無端状に連結することにより構成されている。ところで、動力伝達用チェーンの運転時には、チェーンが巻き掛けられるスプロケットの歯数および回転数で定まる噛合周波数が、チェーンのスパン長およびチェーン張力から定まるチェーンの共振周波数と一致すると、チェーンスパンが共振を起こして激しく横方向に振動することが知られている。
【０００３】
そこで、このようなチェーンスパンの共振を防止すべく、従来より種々の手法が採用されている。たとえば実開昭５５−３４５８０号公報の図４および図５には、ローラチェーンにおいて噛合衝突音を低減させることを主目的としたものではあるが、チェーン長手方向に隣り合うリンクの２本の連結ピンを板ばねで連結したものが示されている。
【０００４】
上記公報には、隣り合うリンクの屈曲時に、リンクの屈曲動作が板ばねのばね力に抗して行われることにより、スプロケット歯との噛合時にリンクの急激な屈曲が抑制されて、噛合衝突音が低減される点が記載されている。また、この場合には、リンクの屈曲動作が制限されることにともなって、チェーンスパンの弦振動も抑制されることが予想される。
【特許文献１】実公昭５５−３４５８０号公報（図４および図５参照）
【発明の開示】
【発明が解決しようとする課題】
【０００５】
しかしながら、上記構成では、板ばねの両端を連結ピンの端部に固定する必要があるため、連結ピンの端部をかしめなければならず、組立作業が煩雑になる。また、板ばねである以上、ある程度の幅が必要であり、その幅の分だけチェーンの幅が増大するという欠点もある。また、上記公報の第８図および第９図には、ねじりコイルばねを用いることにより、チェーン幅の増大を抑制したものも示されているが、この場合には、個々の連結ピンにそれぞれねじりコイルばねを設ける必要があるため、構造が複雑になり、組立作業が面倒である。
【０００６】
本発明が解決しようとする課題は、動力伝達用チェーンにおいて、チェーンスパンの弦振動を抑制するための構造を簡略化して、組立作業を簡略化する点にある。
【課題を解決するための手段】
【０００７】
請求項１の発明は、各々一対のピン穴を有する多数のリンクをピン穴内に挿入した連結ピンで連結してなる動力伝達用チェーンにおいて、チェーン長手方向に隣り合う少なくとも３本の連結ピンにワイヤが掛けわたされるとともに、チェーン屈曲時にワイヤの弾性変形による屈曲抵抗が作用するように、ワイヤが連結ピンに係止されている。
【０００８】
請求項１の発明によれば、運転中においてチェーン屈曲時には、ワイヤの弾性変形による屈曲抵抗が作用するので、チェーンスパンの横振れを規制して、チェーンスパンの弦振動を抑制できる。しかも、この場合には、屈曲抑制機構が、少なくとも３本の連結ピンに掛けわたされたワイヤにより構成されるので、個々の連結ピンごとに屈曲抑制機構を設ける必要がなくなり、これにより、部品点数を削減して構造を簡略化でき、組立作業を簡略化できる。
【０００９】
請求項２の発明では、請求項１において、ワイヤが各連結ピンの位置で上下方向に屈曲しつつチェーン長手方向にジグザグに配設されるとともに、ワイヤの少なくとも一端がこれに対応する連結ピンの回りに巻回されている。
【００１０】
請求項３の発明では、請求項２において、ワイヤの両端がこれらに対応する各連結ピンの回りに巻回されている。
【００１１】
請求項４の発明では、請求項１において、ワイヤが各連結ピンの位置で上下方向に屈曲しつつチェーン長手方向にジグザグに配設されるとともに、ワイヤの一部が中間の連結ピンの回りに巻回されている。
【００１２】
請求項５の発明では、請求項４において、ワイヤの一部が、ワイヤの一端に対応する連結ピンと隣り合う連結ピンの回りに巻回されている。
【００１３】
請求項６の発明では、請求項１ないし５のいずれかにおいて、連結ピンに巻回されるワイヤの部位が連結ピンに固定されていない。
【００１４】
請求項７の発明では、請求項１ないし６のいずれかにおいて、ワイヤが、チェーン幅方向に隣り合うリンクの間に配設されている。
【００１５】
請求項８の発明では、請求項１ないし７のいずれかにおいて、ワイヤがばね鋼製である。
【００１６】
請求項９の発明では、請求項８において、ワイヤがピアノ線である。
【００１７】
請求項１０の発明では、請求項１ないし９のいずれかにおいて、各リンクがスプロケットと噛み合う一対の歯部をそれぞれ有している。すなわち、この場合には、動力伝達用チェーンがサイレントチェーンである。
【発明の効果】
【００１８】
本発明に係る動力伝達用チェーンによれば、屈曲抑制機構が、少なくとも３本の連結ピンに掛けわたされたワイヤにより構成されるので、チェーンスパンの弦振動を抑制するのに個々の連結ピンごとに屈曲抑制機構を設ける必要がなくなり、これにより、構造を簡略化でき、組立作業を簡略化できる。
【発明を実施するための最良の形態】
【００１９】
動力伝達用チェーンにおいて、チェーンスパンの弦振動を抑制するための構造を、チェーンの幅寸法を増大させることなく、また組立作業を煩雑化することなく、実現した。
【実施例１】
【００２０】
図１ないし図３は本発明の第１の実施例によるサイレントチェーンを示しており、図１はサイレントチェーンの平面部分図、図２はサイレントチェーンの正面部分図、図３は図２の一部拡大図である。
【００２１】
図１および図２に示すように、サイレントチェーン１は、スプロケット（図示せず）と噛み合う一対の歯部２１およびピン穴２２をそれぞれ有する多数の内側リンク２を長さ方向（図１左右方向）および厚み方向（同図上下方向）に積層して、ピン穴２２に挿入した連結ピン３により各々枢支可能に連結するとともに、最外側の内側リンク２の外側に外側リンク４を配置して連結ピン３の端部に固定することにより、構成されている。
【００２２】
チェーン幅方向（図１上下方向）の一側面側において、最外側の内側リンク２と外側リンク４との間には、ワイヤ５が配設されている。ワイヤ５は、隣り合う内側リンク２と外側リンク４の間で挟持されることにより抜け止めが行われている。またワイヤ５は、たとえばばね鋼製であり、好ましくはピアノ線である。
【００２３】
ワイヤ５は、チェーン長手方向（図１および図２左右方向）に隣り合う３本の連結ピン３に掛けわたされている。ワイヤ５の両端には環状のフック部５ａ，５ｂが形成されており、これらのフック部５ａ，５ｂには、対応する各連結ピン３の端部が挿入されている。言い換えれば、ワイヤ５の各端部は、対応する各連結ピン３の回りに巻回されている。この場合、フック部５ａ，５ｂは、対応する各連結ピン３には固定されておらず、各連結ピン３は、フック部５ａ，５ｂに対して自由に回転し得るようになっている。さらに、ワイヤ５の中央部５ｃは偏平な逆Ｖ字状に屈曲形成されており、中央部５ｃは中央の連結ピン３に上方から係止されている。
【００２４】
また、この場合、図１および図２に示すようなチェーン直線状態において、ワイヤ５には弾性曲げが生じておらず、各内側リンク２には、ワイヤ５からのばね力が作用していない。
【００２５】
次に、ワイヤ５の作動について図３を用いて説明する。
図３は、図２においてワイヤ５が掛けわたされた隣り合う内側リンク２（２Ａ，２Ｂ）を取り出して示している。図３に示す状態から、内側リンク２Ａが連結ピン３1 の回りを矢印ａ方向に回動すると、ワイヤ５の一端が内側リンク２Ｂの連結ピン３2 に係止されるとともに、ワイヤ５の中間部分が連結ピン３1 に上方から係止されていることにより、ワイヤ５が弾性変形する。これにより、ワイヤ５の曲げ変形による屈曲抵抗が内側リンク２Ａに作用する。
【００２６】
すなわち、この場合には、内側リンク２Ａの内側への屈曲動作時にワイヤ５による屈曲抵抗が作用することになるので、スプロケット間に配設されたチェーンスパンの外方への振れによる弦振動を抑制できる。また、この場合には、スプロケットとの噛合時において、内側リンクがスプロケット噛合方向に屈曲する際にも同様に屈曲抵抗を受けることになるので、噛合時に内側リンクがスプロケット歯に衝突するのを抑制でき、噛合衝突音を低減できる。
【００２７】
しかも、この場合には、内側リンク２の屈曲を抑制するための屈曲抑制機構が、３本の連結ピン３に掛けわたされたワイヤ５により構成されるので、個々の連結ピンごとに屈曲抑制機構を設ける必要がなくなり、これにより、構造を簡略化でき、組立作業を簡略化できる。
【００２８】
なお、この実施例においては、内側リンク２Ａが連結ピン３1 の回りを矢印ａ方向とは逆方向に回動した場合には、ワイヤ５は内側リンク２Ｂの連結ピン３2 の回りを空転するだけで、ワイヤ５は弾性変形しないので、内側リンク２Ａに屈曲抵抗は作用しない。
【実施例２】
【００２９】
前記第１の実施例では、ワイヤ５の両端がいずれも連結ピン３の回りに巻回された例を示したが、本発明の適用はこれには限定されない。図４（ａ），（ｂ）（ｃ）は、本発明の第２の実施例によるサイレントチェーンの一部拡大図である。なお、同図において、前記第１の実施例と同一符号は同一または相当部分を示している。
【００３０】
図４（ａ）に示すものでは、ワイヤ５の一端のみが連結ピン３の回りに巻回されており、ワイヤ５の他端が直線状に延びている例が示されている。すなわち、直線状に延びるワイヤ端部５ｂ′は、連結ピン３2 の下方まで延設されている。
【００３１】
図４（ｂ）に示すものでは、同図（ａ）と同様に、ワイヤ５の一端のみが連結ピン３の回りに巻回されるとともに、ワイヤ５の他端が直線状に延びている例が示されているが、この場合には、ワイヤ端部５ａ′の方が連結ピン３1 の下方まで直線状に延びている。
【００３２】
図４（ｃ）に示すものでは、ワイヤ５の両端がいずれも連結ピン３の回りに巻回されておらず、いずれの端部５ａ′，５ｂ′も直線状に延びている例が示されている。さらに、この場合には、ワイヤ５の中央にフック部５ｃ′が形成されており、このフック部５ｃ′が連結ピン３1 の回りに巻回されている。
【００３３】
この第２の実施例では、図４（ａ），（ｂ），（ｃ）のいずれの場合においても、前記第１の実施例と同様に、内側リンク２Ａが連結ピン３1 の回りを矢印ａ方向に回動すると、ワイヤ５の一端が内側リンク２Ｂの連結ピン３2 に係止されるとともに、ワイヤ５の中間部分が連結ピン３1 に係止されていることにより、ワイヤ５が弾性変形する。これにより、ワイヤ５の曲げ変形による屈曲抵抗が内側リンク２Ａに作用する。
【００３４】
すなわち、この場合には、前記第１の実施例と同様に、内側リンク２Ａの内側への屈曲動作時にワイヤ５による屈曲抵抗が作用することになるので、チェーンスパンの外方への振れによる弦振動を抑制できる。また、スプロケットとの噛合時において、内側リンクがスプロケット噛合方向に屈曲する際にも同様に屈曲抵抗を受けることになるので、噛合時に内側リンクがスプロケット歯に衝突するのを抑制でき、噛合衝突音を低減できる。
【００３５】
さらに、内側リンク２の屈曲を抑制するための屈曲抑制機構が、３本の連結ピン３に掛けわたされたワイヤ５により構成されるので、個々の連結ピンごとに屈曲抑制機構を設ける必要がなくなり、これにより、構造を簡略化でき、組立作業を簡略化できる。
【００３６】
なお、この実施例においても、内側リンク２Ａが連結ピン３1 の回りを矢印ａ方向とは逆方向に回動した場合には、ワイヤ５は内側リンク２Ｂの連結ピン３2 から離れる側に移動するか（図４（ａ））、あるいはその位置に留まるだけで（図４（ｂ），（ｃ））、ワイヤ５自体は弾性変形しないので、内側リンク２Ａに屈曲抵抗は作用しない。
【実施例３】
【００３７】
前記第１および第２の実施例では、ワイヤ５の中央部が連結ピン３1 の上方を通るように配設された例を示したが、本発明の適用はこれには限定されず、ワイヤ５の中央部は連結ピン３1 の下方を通るように配設されていてもよい。このようにワイヤが配設された本発明の第３の実施例を図５に示す。図５中の（ａ）は前記第１の実施例の図３に対応しており、（ｂ），（ｃ），（ｄ）は前記第２の実施例の図４中の（ａ），（ｂ），（ｃ）にそれぞれ対応している。図５において、ワイヤ５の中央部５ｃは偏平なＶ字状に屈曲形成されており、中央部５ｃは中央の連結ピン３に下方から係止されている。
【００３８】
（ａ）においては、ワイヤ５両端の環状フック部５ａ，５ｂは、対応する各連結ピン３の回りに巻回されている。この状態から、内側リンク２Ａが連結ピン３1 の回りを矢印ｂ方向に回動すると、ワイヤ５の一端が内側リンク２Ｂの連結ピン３2 に係止されるとともに、ワイヤ５の中間部分が連結ピン３1 に下方から係止されていることにより、ワイヤ５が弾性変形する。これにより、ワイヤ５の曲げ変形による屈曲抵抗が内側リンク２Ａに作用する。
【００３９】
すなわち、この場合には、内側リンク２Ａの背面側への屈曲動作時にワイヤ５による屈曲抵抗が作用することになるので、スプロケット間に配設された直線状のチェーンスパンの内方への振れによる弦振動を抑制できる。
【００４０】
なお、この実施例においては、内側リンク２Ａが連結ピン３1 の回りを矢印ｂ方向とは逆方向に回動した場合には、ワイヤ５は内側リンク２Ｂの連結ピン３2 の回りを空転するだけで、ワイヤ５は弾性変形しないので、内側リンク２Ａに屈曲抵抗は作用しない。
【００４１】
（ｂ）に示すものでは、ワイヤ５の一端のみが連結ピン３の回りに巻回されており、ワイヤ５の他端が直線状に延びている例が示されている。すなわち、直線状に延びるワイヤ端部５ｂ′は、連結ピン３2 の上方まで延設されている。
【００４２】
（ｃ）に示すものでは、（ｂ）と同様に、ワイヤ５の一端のみが連結ピン３の回りに巻回されるとともに、ワイヤ５の他端が直線状に延びている例が示されているが、この場合には、ワイヤ端部５ａ′の方が連結ピン３1 の上方まで直線状に延びている例が示されている。
【００４３】
（ｄ）に示すものでは、ワイヤ５の両端がいずれも連結ピン３の回りに巻回されておらず、いずれの端部５ａ′，５ｂ′も直線状に延びている例が示されている。さらに、この場合には、ワイヤ５の中央にフック部５ｃ′が形成されており、このフック部５ｃ′が連結ピン３1 の回りに巻回されている。
【００４４】
この第３の実施例では、図５（ａ），（ｂ），（ｃ），（ｄ）のいずれの場合においても、前記第３の実施例と同様に、内側リンク２Ａが連結ピン３1 の回りを矢印ｂ方向に回動すると、ワイヤ５の一端が内側リンク２Ｂの連結ピン３2 に係止されるとともに、ワイヤ５の中間部分が連結ピン３1 に下方から係止されていることにより、ワイヤ５が弾性変形する。これにより、ワイヤ５の曲げ変形による屈曲抵抗が内側リンク２Ａに作用する。
【００４５】
すなわち、この場合には、内側リンク３の背面側への屈曲動作時にワイヤ５による屈曲抵抗が作用することになるので、スプロケット間に配設された直線状のチェーンスパンの内方への振れによる弦振動を抑制できる。
【００４６】
なお、この実施例においても、内側リンク２Ａが連結ピン３1 の回りを矢印ｂ方向とは逆方向に回動した場合には、ワイヤ５は、内側リンク２Ｂの連結ピン３2 の回りを空転するか（図５（ａ））、内側リンク２Ｂの連結ピン３2 から離れる側に移動するか（同図（ｂ））、あるいはその位置に留まるだけで（同図（ｃ），（ｄ））、ワイヤ５自体は弾性変形しないので、内側リンク２Ａに屈曲抵抗は作用しない。
【実施例４】
【００４７】
前記第１ないし第３の実施例では、ワイヤが掛けわたされる連結ピンが３本の場合を例にとって説明したが、本発明は、ワイヤが４本以上の連結ピンに掛けわたされる場合にも同様に適用できる。図６は、ワイヤが４本の連結ピンに掛けわたされた、本発明の第４の実施例を示している。なお、図６において、前記第１ないし第３の実施例と同一符号は同一または相当部分を示しているが、ここでは、図示の簡略化のために連結ピンおよびワイヤのみを示し、内側リンクが省略された状態を示す。
【００４８】
図６（ａ）〜（ｄ）のいずれの場合においても、ワイヤ５の中間部５ｃは偏平な逆Ｖ字状に屈曲形成されて連結ピン３1 に上方から係止されており、ワイヤ５の中間部５ｄは偏平なＶ字状に屈曲形成されて連結ピン３2 に下方から係止されている。すなわち、ワイヤ５は両端の連結ピンの間を上下方向に屈曲しつつチェーン長手方向にジグザグ状に配設されている。この状態で、ワイヤ５には弾性曲げが生じておらず、各内側リンクには、ワイヤ５のばね力は作用していない。
【００４９】
さらに、（ａ）に示すものでは、ワイヤ５の各端部が、対応する連結ピンの回りに巻回されている。（ｂ）に示すものでは、ワイヤ５の一端のみが連結ピンの回りに巻回され、ワイヤ５の他方の端部５ｂ′は直線状に延びており、端部の連結ピンの上方まで延設されている。
【００５０】
（ｃ）においては、（ｂ）と同様に、ワイヤ５の一端のみが連結ピンの回りに巻回され、ワイヤ５の他方の端部が直線状に延設された例が示されているが、この場合には、ワイヤ端部５ａ′の方が端部の連結ピンの下方まで直線状に延設されている。
【００５１】
（ｄ）においては、ワイヤ５の両端がいずれも連結ピンの回りに巻回されておらず、いずれの端部５ａ′，５ｂ′も直線状に延設された例が示されている。さらに、この場合には、ワイヤ５の中間にフック部５ｃ′，５ｄ′が形成されており、フック部５ｃ′は連結ピン３1 の回りに巻回され、フック部５ｄ′は連結ピン３2 の回りに巻回されている。言い換えれば、この場合には、ワイヤ５の端部に対応する連結ピンと隣り合う連結ピンの回りにワイヤ５の一部が巻回されている。
【００５２】
この第４の実施例の（ａ）においては、内側リンク２Ａ（図３参照）が連結ピン３1 の回りを矢印ａ方向またはｂ方向のいずれの方向に回動した場合でも、ワイヤ５が弾性変形する。これにより、ワイヤ５の曲げ変形による屈曲抵抗が内側リンク２Ａに作用する。同様に、内側リンク２Ｂ（図３参照）が連結ピン３2 の回りを矢印ａ′方向またはｂ′方向のいずれの方向に回動した場合でも、ワイヤ５が弾性変形する。これにより、ワイヤ５の曲げ変形による屈曲抵抗が内側リンク２Ｂに作用する。
【００５３】
すなわち、この場合には、内側リンク３の内側および外側双方への屈曲動作時にワイヤ５による屈曲抵抗が作用することになるので、チェーンスパンの内方および外方双方への振れによる弦振動を抑制できる。また、スプロケットとの噛合時において、噛合衝突音を低減できる。
【００５４】
さらに、内側リンク２の屈曲を抑制するための屈曲抑制機構が、４本の連結ピン３に掛けわたされたワイヤ５により構成されるので、構造を一層簡略化でき、組立作業を一層簡略化できる。
【００５５】
（ｂ）においては、内側リンク２Ａ（図３参照）が連結ピン３1 の回りを矢印ａ方向またはｂ方向のいずれの方向に回動した場合でも、ワイヤ５が弾性変形し、これにより、ワイヤ５の曲げ変形による屈曲抵抗が内側リンク２Ａに作用する。その一方、内側リンク２Ｂ（図３参照）が連結ピン３2 の回りを矢印ｂ′方向に回動した場合には、ワイヤ５が弾性変形して、ワイヤ５の曲げ変形による屈曲抵抗が内側リンク２Ｂに作用するが、内側リンク２Ｂが連結ピン３2 の回りを矢印ｂ′方向と逆方向に回動した場合には、ワイヤ５はその位置に留まるだけで、曲げ変形しない。
【００５６】
（ｃ）においては、内側リンク２Ｂ（図３参照）が連結ピン３2 の回りを矢印ａ′方向またはｂ′方向のいずれの方向に回動した場合でも、ワイヤ５が弾性変形し、これにより、ワイヤ５の曲げ変形による屈曲抵抗が内側リンク２Ｂに作用する。その一方、内側リンク２Ａ（図３参照）が連結ピン３1 の回りを矢印ａ方向に回動した場合には、ワイヤ５が弾性変形して、ワイヤ５の曲げ変形による屈曲抵抗が内側リンク２Ａに作用するが、内側リンク２Ａが連結ピン３1 の回りを矢印ａ方向と逆方向に回動した場合には、ワイヤ５はその位置に留まるだけで、曲げ変形しない。
【００５７】
（ｄ）においては、内側リンク２Ａ（図３参照）が連結ピン３1 の回りを矢印ａ方向に回動した場合にワイヤ５が弾性変形し、ワイヤ５の曲げ変形による屈曲抵抗が内側リンク２Ａに作用するが、内側リンク２Ａが矢印ａ方向と逆方向に回動した場合には、ワイヤ５はその位置に留まるだけで、曲げ変形しない。その一方、内側リンク２Ｂ（図３参照）が連結ピン３2 の回りを矢印ｂ′方向に回動した場合にワイヤ５が弾性変形し、ワイヤ５の曲げ変形による屈曲抵抗が内側リンク２Ｂに作用するが、内側リンク２Ｂが連結ピン３2 の回りを矢印ｂ′方向と逆方向に回動した場合には、ワイヤ５はその位置に留まるだけで、曲げ変形しない。
【００５８】
このように、図６（ｂ）〜（ｄ）においては、内側リンク２の内側または外側への屈曲動作時にワイヤ５による屈曲抵抗が作用することになるので、チェーンスパンの内方または外方への振れによる弦振動を抑制できる。しかも、この場合には、図６（ａ）と同様に、内側リンク２の屈曲を抑制するための屈曲抑制機構が、４本の連結ピン３に掛けわたされたワイヤ５により構成されるので、構造を一層簡略化でき、組立作業を一層簡略化できる。
【実施例５】
【００５９】
前記第１ないし第４の実施例においては、直線状に延ばされたチェーンに対して、予めジグザグ状に屈曲形成されたワイヤが当該チェーンの各連結ピンの回りに配設された例を示している。すなわち、これらの場合には、チェーンが直線状に延ばされた状態では、ワイヤの弾性変形による屈曲抵抗が内側リンクには作用しておらず、内側リンクが連結ピンの回りを屈曲（つまり関節運動）して始めてワイヤの曲げ変形による屈曲抵抗が内側リンクに作用するようになっている。しかしながら、本発明の適用はこれらの実施例には限定されない。
【００６０】
図７は本発明の第５の実施例を示しており、ここでは、直線状のワイヤがチェーンの各連結ピン（ここでは５本）に係止されている。この場合には、チェーンに張力が作用していない状態では、図７に示すように、各内側リンクがジグザグ状に配設されている。そして、チェーンが駆動スプロケットおよび従動スプロケット間に掛けわたされたときに、ワイアが弾性変形して、屈曲抵抗が内側リンクに作用するようになっている。
【００６１】
この第５の実施例においても、前記第１ないし第４の実施例と同様に、内側リンク２の内側または外側への屈曲動作時にワイヤ５による屈曲抵抗が作用することになるので、チェーンスパンの内方または外方への振れによる弦振動を抑制できる。しかも、この場合には、内側リンク２の屈曲を抑制するための屈曲抑制機構が、５本の連結ピン３に掛けわたされたワイヤ５により構成されるので、構造をより一層簡略化でき、組立作業をより一層簡略化できる。
【００６２】
なお、前記各実施例では、ワイヤが最外側の内側リンクとこれと隣り合う外側リンクとの間に配設された例を示したが、本発明は、チェーン幅方向に隣り合う各内側リンク間にワイヤを配設したものにも同様に適用できる。
【００６３】
また、前記各実施例では、本発明がサイレントチェーンに適用された例を示したが、本発明はローラチェーンにも同様に適用可能である。
【図面の簡単な説明】
【００６４】
【図１】本発明の第１の実施例によるサイレントチェーンの平面部分図である。
【図２】サイレントチェーン（図１）の正面部分図である。
【図３】図２の一部拡大図であって、リンクの屈曲動作時におけるワイヤの作動を説明するための図である。
【図４】（ａ）は本発明の第２の実施例によるサイレントチェーンの一部拡大図であって、前記第１の実施例の図３に相当する図であり、（ｂ）および（ｃ）はそれぞれ（ａ）の変形例である。
【図５】（ａ）は本発明の第３の実施例によるサイレントチェーンの一部拡大図であって、前記第１の実施例の図３に相当する図であり、（ｂ），（ｃ），（ｄ）はそれぞれ（ａ）の変形例である。
【図６】（ａ）は本発明の第４の実施例によるサイレントチェーンの一部拡大図であって、前記第１の実施例の図３に相当する図であり、（ｂ），（ｃ），（ｄ）はそれぞれ（ａ）の変形例である。
【図７】本発明の第５の実施例によるサイレントチェーンの一部拡大図である。
【符号の説明】
【００６５】
１：  サイレントチェーン
２：  内側リンク
２１：  歯部
２２：  ピン穴
３：  連結ピン
４：  外側リンク
５：  ワイヤ
５ａ：  フック部
５ｂ：  フック部
【図１】
2005076851.tif 000003
【図２】
2005076851.tif 000004
【図３】
2005076851.tif 000005
【図４】
2005076851.tif 000006
【図５】
2005076851.tif 000007
【図６】
2005076851.tif 000008
【図７】
2005076851.tif 000009
【手続補正書】
【提出日】平成15年9月5日(2003.9.5)
【手続補正１】
【補正対象書類名】図面
【補正対象項目名】全図
【補正方法】変更
【補正の内容】
【図１】
2005076851.tif 000010
【図２】
2005076851.tif 000011
【図３】
2005076851.tif 000012
【図４】
2005076851.tif 000013
【図５】
2005076851.tif 000014
【図６】
2005076851.tif 000015
【図７】
2005076851.tif 000016